(57)【要約】  【課題】作業性に優れ、耐候性に優れたソーラーパネル支持体でのケーブル保持装置を提供する。  【解決手段】水平面に対して所定の傾斜角をなしてソーラーパネル(ＳＰ)を保持する架台(１)のソーラーパネル(ＳＰ)を傾斜支持する傾斜支持材(４)を開口部が下向きのハット鋼で構成する。鋼製線材で形成した支持ロッド(８)の両端を折り返し成形し、この支持ロッド(８)の折返し片(９)同士の開口間隔を一方の折返し片(９)の折返し基端部と他方の折返し片(９)の先端部とが傾斜支持材(４)を構成しているハット鋼のフランジ部(７)(７)の外端間寸法とほぼ等しくなるように形成する。支持ロッド(８)を傾斜支持材(４)のフランジ部(７)に挿嵌して支持ロッド(４)の一端を支点に他端側を揺動させることで、支持ロッド(８)の両折返し片(９)でハット鋼のフランジ部(７)を挟持し、ハット鋼の空洞部(12)に配線したソーラーパネル(ＳＰ)の電気ケーブルを保持するように構成する。【選択図】    図２
2015115996.tif 000002
【特許請求の範囲】
【請求項１】
水平面に対して所定の傾斜角をなしてソーラーパネル(ＳＰ)を保持する架台(１)の少なくともソーラーパネル(ＳＰ)を傾斜支持する傾斜支持材(４)をその開口部が下向きに位置する状態に配置したハット鋼で構成し、鋼製線材で形成した支持ロッド(８)の両端を折り返し成形し、この支持ロッド(８)の折返し片(９)同士の開口間隔を一方の折返し片(９)の折返し基端部と他方の折返し片(９)の先端部とが傾斜支持材(４)を構成しているハット鋼のフランジ部(７)(７)の外端間寸法とほぼ等しくなるように形成し、支持ロッド(８)を傾斜支持材(４)のフランジ部(７)に挿嵌して支持ロッド(４)の一端を支点に他端側を揺動させることで、支持ロッド(８)の両折返し片(９)でハット鋼のフランジ部(７)を挟持するようにし、ハット鋼の空洞部(12)に配線したソーラーパネル(ＳＰ)の電気ケーブルを保持するように構成したことを特徴とするソーラーパネル支持体でのケーブル保持装置。
【請求項２】
支持ロッド(８)の折返し片(９)同士が１３５度の挟み角を有する請求項１に記載したソーラーパネル支持体でのケーブル保持装置。
【請求項３】
少なくとも一方のフランジ部(７)に支持ロッド(８)の折返し片の一部を受け止める係止孔(13)が透設してある請求項１又は２に記載したソーラーパネル支持体でのケーブル保持装置。
【発明の詳細な説明】
【技術分野】
【０００１】
本発明は、ソーラーパネルを支持する支持体でのケーブル保持装置に関し、特に、メガソーラでのソーラーパネル支持体におけるケーブル保持装置に関する。
【背景技術】
【０００２】
太陽光を利用して発電するソーラー発電システムは、多数のソーラーパネルを効率よく日差しを受ける角度で配列する必要があるため、多数のソーラーパネルを太陽に向けて支持固定する支持体(架台)を、所定の傾斜角で設置している。一般にこの種の架台は山形鋼や溝形鋼などの形鋼、あるいは建築構造用冷間成形軽量形鋼を用いて、枠状に組んである。
【０００３】
そして、ソーラー発電システムでは、ソーラーパネルで太陽エネルギーを電気に変換した電流を充放電コントローラまで伝達するために、電気ケーブルを架台に沿わせて配置することになるが、従来は、例えば特許文献１、あるいは非特許文献１に示されているようにクリップ状配管材支持具を架台構成材のフランジ部分に嵌込み挟持させて、電線ケーブルを架台構成材に沿わせた状態で保持するようにしていた。
【先行技術文献】
【特許文献】
【０００４】
【特許文献１】特開２０１２−１１７６４２号公報
【非特許文献】
【０００５】
【非特許文献１】ネグロス電工株式会社  サンストラット(登録商標)のカタログ［平成２５年１１月５日検索］、インターネット  URL：http://www.negurosu.co.jp/products/sunstrud/huzoku/page9.html
【発明の概要】
【発明が解決しようとする課題】
【０００６】
前記した従来のクリップ状配管材支持具は、基盤片とその一端を折り返して形成した挟圧片との間にアングル材やＨ形鋼の外側に張り出している突出片(フランジ)部分を咥え込む状態に配置して弾圧保持し、基盤片とその他端を折り返して形成した挟持片との間に電気ケーブルを挿入して弾性保持、あるいはその挟持片の外側に結束バンドで保持するようにしていた。
【０００７】
このため、クリップ状配管材支持具では、支持具自体を架台構成材に配置固定する作業および支持具に電線ケーブルを保持させる作業がいずれも閉じ方向への弾性に抗した作業となることから面倒で作業性に欠けるという問題がある上、電線ケーブル自体が架台の外面に露出していることから、紫外線や外気に含まれている各種ガスとの接触が多く、電線ケーブル被覆層に劣化が生じ耐候性に欠けるきらいがあった。また、クリップ状配管材支持具の場合、支持具自体が折り曲げ形成した帯板で構成されていることからその端縁部分にエッジが立つことがあり、支持具間で垂れ下がった電線ケーブルの被覆部分がこのエッジ部分に接触して傷付くことがあった。
【０００８】
本発明は、このような点に着目し、作業性に優れ、耐候性に優れたケーブル保持装置を提供することを目的とする。
【課題を解決するための手段】
【０００９】
上述の課題を解決するために請求項１に記載した本発明は、水平面に対して所定の傾斜角をなしてソーラーパネルを保持する架台の少なくともソーラーパネルを傾斜支持する傾斜支持材をその開口部が下向きに位置する状態に配置したハット鋼で構成し、鋼製線材で形成した支持ロッドの両端を折返し成形し、この支持ロッドの折返し片同士の開口間隔を一方の折返し片の折返し基端部と他方の折返し片の先端部とが傾斜支持材を構成しているハット鋼のフランジ部の外端間寸法とほぼ等しくなるように形成し、支持ロッドを傾斜支持材のフランジ部に挿嵌して支持ロッドの一端を支点に他端側を揺動させることで、支持ロッドの両折返し片でハット鋼のフランジ部を挟持するようにし、ハット鋼の空洞部に配線したソーラーパネルの電気ケーブルを保持するように構成したことを特徴としている。
【００１０】
また、請求項２に記載の発明は、請求項１の構成に加えて、支持ロッドの折返し片部分が１３５度の挟み角を有していることを特徴としている。
【００１１】
さらに、請求項３に記載の発明は、請求項１又は２の構成に加えて、少なくとも一方のフランジ部に支持ロッドの折返し片の端部を受け止める係止孔が透設してあることを特徴としている。
【発明の効果】
【００１２】
本発明のソーラーパネル支持体でのケーブル保持装置は、ソーラーパネルを傾斜支持する傾斜支持材を開口部を下向きにしたハット鋼で構成し、そのハット鋼のフランジ部同士に亘って支持ロッドを架着するようにしていることから、電線ケーブルをハット鋼の空洞部に収容することができ、電線ケーブルが外部の雰囲気に曝露されることを抑制できるので、電線ケーブルと紫外線や外気に含まれている各種ガスとの接触を抑制できるから、耐候性を向上させることができる。また、支持ロッドを鋼製線材で形成してあることから、電線ケーブルとの接触部分が円弧面となり、電線ケーブルの被覆部分を傷付けることを防止することができる。
【００１３】
また、その支持構造としては、両端を折り返し形成した支持ロッドの両端部をハット鋼の鍔部に係止するだけであるから、作業性の向上も図れる。
【図面の簡単な説明】
【００１４】
【図１】ソーラーパネルを保持する架台の一部を切除した概略斜視図である。
【図２】一実施形態での傾斜支持材の底面視を示す図である。
【図３】支持ロッドの正面視を示す図である
【図４】支持ロッドの底面視を示す図である。
【図５】支持ロッドの左側面視を示す図である。
【図６】別の実施形態での傾斜支持材の底面視を示す図である。
【図７】支持ロッドの変形例での正面視を示す図である。
【図８】支持ロッドの変形例での底面視を示す図である。
【図９】支持ロッドの変形例での左側面視を示す図である。
【発明を実施するための形態】
【００１５】
以下、本発明を実施するための形態について、その実施例に沿って説明する。
【００１６】
図１は、ソーラーパネル(ＳＰ)を保持する架台(１)の一部を切除した概略斜視図であり、地面や陸屋根等の設置面に配設した土台(２)と、各土台(２)から立ち上げた立上材(３)、この立上材(３)の上端部に掛け渡した傾斜支持材(４)、各傾斜支持材(４)の上面に配置した複数の桁材(５)とで、ソーラーパネル(ＳＰ)を所定の傾斜角度で支持する枠体を形成して架台(１)を構成している。
【００１７】
この架台(１)の立上材(３)および桁材(５)は、山形鋼や溝形鋼などの形鋼、あるいは建築構造用冷間成形軽量形鋼を使用しており、傾斜支持材(４)は開口部を下向きに開口する状態に配置したハット鋼で構成してある。
【００１８】
ソーラーパネル(ＳＰ)を所定の傾斜角度で支持する傾斜支持材(４)は、図２に示すように、ハット鋼の開口部(６)の両側に連出しているフランジ部(７)・(７)同士に亘って係着させた支持ロッド(８)でハット鋼の開口部(６)を部分的に閉鎖するようにし、ハット鋼の空洞部に装着した電線ケーブル(図示略)を受止め支持するようにしてある。
【００１９】
支持ロッド(８)は、亜鉛アルミ合金メッキした鋼線に低温焼鈍しを施したもので、図３から図５に示すように形成してある。この支持ロッド(８)は、その両端部を折返し形成した折返し片(９)を有している。一方の折返し片(9a)は支持ロッド(８)の直線部を通る垂直平面と４５度をなす傾斜平面内で上側に折返し、その連出方向の途中を支持ロッド(８)の直線部を通る垂直平面方向に接近する側に山形に折り曲げて山形突起(10)に形成してある、他方の折返し片(9b)は、支持ロッド(８)の直線部を通る垂直平面内で折り返した後、その連出方向の途中を前記一方の折返し片(9a)とは逆に支持ロッド(８)の直線部を通る垂直平面方向から離れる側に山形に折り曲げて山形突起(11)に形成してある。したがって、支持ロッド(８)の両端に形成した折返し片(9a)・(9b)は挟み角１３５度の位置関係に形成されていることになる。
【００２０】
支持ロッド(８)の折返し片(9a)・(9b)同士の開口間隔は一方の折返し基端部と他方の折返し片先端部とが傾斜支持材(４)を構成しているハット鋼のフランジ部(７)・(７)の外端間寸法とほぼ等しくなるように形成してある。
【００２１】
そして、この支持ロッド(８)は、図２に示すように、一方の折返し片(9a)を傾斜支持材(４)を構成しているハット鋼の一方のフランジ部(７)に嵌着し、挿嵌した折返し片(9a)の折返し基端部をフランジ部(７)に当接させた状態で、他方の折返し片(9b)を撓ませた状態で該折返し片(9b)の先端部をハット鋼の他方のフランジ部(７)での板厚を乗り越えさせて折返し片(9b)を他方のフランジ部(７)に係着させ、この他方のフランジ部(７)に係着した折返し片(9b)をハット鋼の長手軸に沿ってスライドさせることで、支持ロッド(８)が傾斜支持材(４)を構成しているハット鋼の開口部(６)を横切る状態に装着される。
【００２２】
そして、ハット鋼の開口部(６)を横切る状態に装着された支持ロッド(８)でハット鋼の空洞部(12)に配線された電気ケーブルを支持ロット(８)で受止め支持することになる。このとき、支持ロッド(８)の両端に形成されている折返し片(９)がロッド長手軸を中心として所定の挟み角を持って連出形成されているから、ハット鋼のフランジ部(７)に装着した場合に、支持ロッド自体に捩れによる弾性力が生じる上、ハット鋼の長手軸に沿ってスライドする折返し片(9b)に形成されている山形突起(11)がフランジ表面に点接触状となることから、支持ロッド(８)を確りと保持できることになる。
【００２３】
図６は、ハット鋼製の傾斜支持材(４)としてフランジ部(７)に係止孔(13)が透設されているハット鋼が用いられた場合を示し、この場合には、フランジ部(７)に挿嵌した支持ロッド(８)の折返し片(9a)に形成した山形突起(10)を係止孔(13)にあてがい、支持ロッド(９)の他方折返し片(9b)をハット鋼の長手軸に沿ってスライドさせると、この係止孔(13)にあてがった山形突起(11)部分が固定された揺動支点となることから、支持ロッド(８)の揺動操作を安定化することができる。
【００２４】
図７〜図９は、支持ロッド(９)の変形例を示し、前述の実施形態で支持ロッド(８)の直線部を通る垂直平面と４５度をなす傾斜平面内で上側に折返して形成した折返し片(9c)を支持ロッド(８)の直線部を通る垂直平面方向に接近する側に斜め上向きに連出したものである。
【００２５】
このように構成した支持ロッド(９)は、フランジ部(７)に係止孔(13)が透設されているハット鋼製の傾斜支持材(４)に使用でき、折返し片(9c)の上向きに連出している部分を係止孔(13)に挿通させることで、揺動支点を確保するようにしたものである。
【産業上の利用可能性】
【００２６】
本発明は、広い敷地にソーラーパネルを多数整列配置するメガソーラー発電システムや、ビルの屋上に数枚程度のソーラパネルを配置するソーラー発電システムに利用することができる。
【符号の説明】
【００２７】
１…架台、４…傾斜支持材、７…フランジ部、８…支持ロッド、９…折返し片、12…ハット鋼の空洞部、13…係止孔、ＳＰ…ソーラーパネル。
【図１】
2015115996.tif 000003
【図２】
2015115996.tif 000004
【図３】
2015115996.tif 000005
【図４】
2015115996.tif 000006
【図５】
2015115996.tif 000007
【図６】
2015115996.tif 000008
【図７】
2015115996.tif 000009
【図８】
2015115996.tif 000010
【図９】
2015115996.tif 000011